(57)【特許請求の範囲】
【請求項１】
前面を開口した直方形の筺体の左右の側板の各板面の四隅に連結用突出板部を配設して成る電池収納筺において、該筺体の左右の側板にこれら一体に前方へ所望の長さ突出する前方延長板部を形成すると共にその左右の各前方延長板部の三辺を外側方へ直角に折り曲げたＬ字状の三辺折り曲げ板部をもつ前方延長側板部を該筺体の該開口部の左右に配設したことを特徴とする電池収納筺。
【請求項２】
請求項１に記載の蓄電池収納筺に蓄電池を複数個収納して成るユニット電池を複数個積み重ねると共に前後左右の突出連結板部で互いに結着してキュービクル式蓄電池組立体を構成し、そのキュービクル式蓄電池組立体の最上位のユニット電池の筺体の上面に端末端子保護枠体を取り付け、更に、その組立体の前面に、各段のユニット電池の筺体の該開口部の左右に突出する前方延長側板の前辺折り曲げ板部に扉を取り付けたことを特徴とするキュービクル式蓄電池盤。
【発明の詳細な説明】
【０００１】
【発明の属する技術分野】
本発明は、電池収納筺並びにこれを用いたキュービクル式蓄電池盤に関する。
【０００２】
【従来の技術】
従来の電池収納筺並びにこれを用いたキュービクル式蓄電池盤は、例えば、特開２０００−２４３３６９公報や特開２００１−２０２９４２公報に公知である。
前者の公報に開示の発明では、蓄電池収納筺を用いてキュービクル式蓄電池盤を構成するには、蓄電池収納筺に蓄電池を収容した後、これを複数段積み重ねて構成したキュービクル式蓄電池組立体の左右側面及び背面に外共板７を取り付け、その前面に扉を取り付けることにより完成するものである。後者の公報に開示の発明では、前者の公報に記載の蓄電池収納筺に対応するユニットケースは、図６に示すように各別の構成部材を互いに鋲着することにより直方形の筺形に組み立て、その組み立てたユニットに蓄電池を収納して成るユニット電池を複数段に積み重ねて相互に固定して構成した図２示の蓄電池収納筺の正面に扉取付用枠を取り付けた後、扉を取り付けることにより完成するものである。
【０００３】
【発明が解決しようとする課題】
このように、従来の技術では、前者の発明では、蓄電池収納筺を用いてキュービクル式蓄電池盤を完成するが、その構成は複雑であり、夫々の外装板を要し、後者の発明では、特に扉取付用枠を要し、製造コストを増大し、従ってまた、その夫々の取り付け作業の時間と手間を要する。
本発明は、かゝる従来の技術の課題を解消し、キュービクル式蓄電池盤を構成するに当たり、従来の外装板や扉取付用枠を不要とし、構成部材を可及的に少なくし、容易且つ安価に製造し得られる蓄電池収納筺を提供すること並びにこれにより容易且つ安価に組み立てられる安価で且つ堅牢なキュービクル式蓄電池盤を提供することを目的とする。
【０００４】
【課題を解決するための手段】
本発明は、上記の目的を達成した蓄電池収納筺を提供するもので、前面を開口した直方形の筺体の左右の側板の各板面の四隅に連結用突出板部を配設して成る電池収納筺において、該筺体の左右の側板にこれら一体に前方へ所望の長さ突出する前方延長板部を形成すると共にその左右の各前方延長板部の三辺を外側方へ直角に折り曲げたＬ字状の三辺折り曲げ板部をもつ前方延長側板部を該筺体の該開口部の左右に配設したことを特徴とする。
更に、本発明は、上記発明の蓄電池収納筺を用いて組み立てたキュービクル式蓄電池組立体に扉を直接取り付けられると共に、その組立体と扉との間に大きな換気用空間が得られるキュービクル式蓄電池盤を提供するもので、前記本発明の蓄電池収納筺に蓄電池を複数個収納して成るユニット電池を複数個積み重ねると共に前後左右の突出連結板部で互いに結着してキュービクル式蓄電池組立体を構成し、そのキュービクル式蓄電池組立体の最上位のユニット電池の筺体の上面に端末端子保護枠体を取り付け、更に、その組立体の前面に、各段のユニット電池の筺体の該開口部の左右に突出する前方延長側板の前辺折り曲げ板部に扉を取り付けたことを特徴とする。
【０００５】
【発明の実施の形態】
次に、本発明の実施の態様を添付図面に基づいて説明する。
図１乃至図４において、Ａは本発明の実施の１例を示す蓄電池収納筺を示す。該蓄電池収納筺Ａは、鉄製で肉薄の左右側板１ａ，１ａと上下板１ｂ，１ｂと背面板１ｃとから成り、その前面を幅方向に長手の矩形状の開口部１ｄとし、該開口部１ｄから内部に所定の複数個の蓄電池を一杯に収容し並べ載置するに適した大きさの直方形の筺体１を主体とし、該筺体１に、左右両側板１ａ，１ａの各板面の四隅に外方へ突出する鉄製の連結用突出板部２，２，２，２を配設して成り、その前縁と後縁に沿い該筺体１の幅寸法より長い長尺の型鋼材から成る、例えば、断面コ字状の補強用骨枠の夫々を両端部が該筺体１の左右の両側板１ａ，１ａより外方へ突出した状態で溶接により固設し、その上下の各板面の前後に配設した該前側骨枠３と後側骨枠４の夫々の両端突出板部３ａ，３ａ及び４ａ，４ａを前記の連結用突出板部２，２及び２，２とした。５は、各連結用突出板部２に設けたボルト挿通孔、１ｃは、筺体１の背板、６は、該筺体１の上下板１ｂ，１ｂに固設のコ字状の前側骨枠３，３の前面折り曲げ板部３ａ，３ａに一定間隔を存し配設した止め具挿通孔を示す。
【０００６】
本発明は、上記の該蓄電池収納筺Ａは、前記従来の特開２０００−２４３３６９公報に開示した蓄電池筺体と実質上変わりがない。
更に本発明によれば、該蓄電池収納筺Ａにおいて、その筺体１の作製時に、その左右の両側板１ａ，１ａを前方へ所望の長さ延長した延長板部７ａ，７ａを形成すると共にその夫々の前方延長板部７ａ，７ａの各板部７ａの三辺７ｂ，７ｃ，７ｄを外側へ直角にＬ字状に折り曲げ、三辺折り曲げ板部７ｂ，７ｃ，７ｄをもつ強度の増大した前方延長側板部７を該開口部１ｄの左右に配設したことを特徴とし、かくして、該筺体１の正面開口部２の左右にそから一体に延設されて有する蓄電池収納筺Ａに構成する。
尚、左右一対の前方延長板部７ａ，７ａの前辺折り曲げ板部７ｂ，７ｂには適当の個所に少なくとも１個の止め具挿通孔８を設けて置くことが好ましい。
【０００７】
尚、その左右の前方延長板部７ａ，７ａの高さは、筺体１の左右の側板１ａ，１ａの高さと等しいかこれより短い高さとしてもよいが、これに限定されない。図４に明示のように、その左右の側板１ａ，１ａより僅かに高くし、その水平に折り曲げた左右の各上，下辺折り曲げ板部７ｃ，７ｄ外面が、筺体１の上下板１ｂ，１ｂに取り付けた前側のコ字状の骨枠３の上面と同一平面になるような高さとすることが、後記するように蓄電池収納筺Ａを積み上げ且つその連結板部２，２，…で相互に結着することが円滑容易に行うことができ、好ましい。
【０００８】
このように、本発明の蓄電池収納筺Ａは、その筺体の作製時に両側板１ａ，１ａから前方延長板部７ａ，７ａを一体成形できるので、別個に前方延長板部に対応したものを作製した後、これらをその筺体１の両側板１ａ，１ａに取り付けて作製する場合に比し、その製造が高能率且つ容易に得られるばかりでなく、該筺体１と一体で機械的強度の増大した蓄電池収納筺Ａを作製でき有利である。
【０００９】
而して、本発明の蓄電池収納筺Ａは、左右の前方延長板部７ａ，７ａは後記に明らかにするように、直ちに扉の取り付けに使用でき、従来のように、別個に作製した扉取り付け枠の取り付けを介して扉を取り付ける無駄を省き、簡易化したキュービクル式蓄電池盤を高能率且つ安価に製造できるばかりでなく、扉を取り付ける場合においても、後記に明らかにするように、該筺体１の開口部１ｄの前方に、その左右の前方延長板部７ａ，７ａ間に広い空間Ｓを存せしめることができ、良好な使用状態をもたらす。
【００１０】
本発明は、更にこのように構成した蓄電池収納筺Ａの所望枚を用い、下記詳述するように、安定堅牢なキュービクル式蓄電池筺組立体を構成でき、而も、これに直接扉を取り付けるだけで簡単且つ安価にキュービクル式蓄電池盤を提供するものである。
【００１１】
即ち、このように構成した蓄電池収納筺Ａの多数個を作製し、その各蓄電池収納筺Ａ内に、所定の数の蓄電池Ｂ，Ｂ，…を、図５〜図７に示すように収納し並べ載置した後、収納された蓄電池Ｂ，Ｂ，…の各隣接部に対応する位置において、各鉄製の押さえ板９を筺体１の矩形状の該開口部１ｄの上下辺縁に差し渡し、その上下端部を前側骨枠３，３の折り曲げ板部３ｂ，３ｂに当て、その上下の止め具挿通孔６，６を介してネジなどの止め具１０，１０により取り付け、これら押さえ板９，９，…により、該筺体１内に収納された蓄電池Ｂ，Ｂ，…が地震などの衝撃で飛び出さないように固定して成るユニット電池Ａ′を構成した。次いで、このように構成したユニット電池Ａ′の所望個を、図示の例では４個を図８乃至図１０に示すように前後一対の床面に固定したチャンネルベース１１，１１に積み重ねると共に、重なり合う上下のユニット電池Ａ′及びＡ′の夫々の筺体１，１の左右側板１ａ及び１ａから突出上下で重なり合う前後に配設の互いに重なり合う連結用突出板部３ａ，４ａ及び３ａ，４ａ同士をボルトナットなどの連結具１２，１２で連結固定し、更に、最上位のユニット電池Ａ′の筺体１の左右の側板１ａ，１ａから突出する前後の連結用突出板部３ａ，４ａ，３ａ，４ａと左右の前方突出板部７，７の折り曲げ板部７ｃ，７ｃに横断面コ字状で且つコ字状の囲枠から成る端末端子保護枠１３のコ字状底板部１３ａを載置し、且つそのボルトナットなどの連結具１２，１２，…で連結固定してキュービクル式蓄電池筺組立体Ｃを組み立てた。尚、図３及び図４において、１２ａは、夫々の連結用突出板部のコ字状枠内に予め嵌着されて施されたナットを示す。この組立体Ｃを構成する各ユニット電池Ａ′は、その筺体１の左右に延設した前方延長側板部７，７は、延長板部７ａ，７ａの三辺がＬ字状に折り曲げられた板部７ｂ，７ｃ，７ｄを有するので、機械的強度が大きいので、かゝるユニット電池Ａ′を積み重ねて組み立てられた組立体Ｃは、安定堅牢なものが得られるばかりでなく、その各ユニット電池Ａ′の左右の前方延長側板部７，７は、後記するように扉の取り付けに役立ち、また、その左右の前方延長側板部７，７間のスペースＳは、図示のように夫々の蓄電池Ｂ，Ｂ，…の前部を筺体１の開口部１ｄより前方へ突出せしめて収容したとき、その収容空間として役立つと同時に、その左右の前方延長側板７，７に、後記するように扉を取り付けたとき、該蓄電池Ｂ，Ｂ，…の前面に大きい換気用空間がい形成するに役立つ。
【００１２】
本発明は、このようにキュービクル式蓄電池筺組立体Ｃを組み立て後、図１１乃至図１３に示すように、４段に積み重ねたユニット電池Ａ′，Ａ′，…の夫々の筺体１，１，…は、その正面に前方延長側板部７，７を具備するので、その左右の延長板部７ａ，７ａ，…の前辺折り曲げ板部７ｂ，７ｂ，…に扉１４の左右辺部を当接させ、螺子１５，１５で取り付ける。図示の例では、扉１４は、ユニット電池Ａ′，Ａ′の２個分に共通の大きさとし、その２枚で４段のユニット電池の正面に取り付けたものを示す。図面で１４ａは、扉１４に設けた換気孔、１４ｂは把手を示す。
このように、該組立体Ｃは、複数段に積み重ねた各ユニット電池Ａ′の筺体１は、その左右に前方延長側板部７，７を配設してあるので、これに扉１４を取り付けることにより直ちにキュービクル式電池盤Ｄを作製することができると同時に、扉１４と組立体Ｃの前面開口部側との間に空気流通用スペースＳを存せしめることができ、従来の組立体のようにその前面開口部側に扉取り付け用枠を取り付けた後、該枠に扉を取り付ける面倒な作業を解消できると同時に、扉取り付け用枠を不要とし、製造コストを低減した安価な製品が得られる。
尚、前記の端末端子保護枠１３の左右の枠板の前端を直角に内側に折り曲げた前面折り曲げ板部１３ｂ，１３ｂとコ字状の上板部１３ｃの夫々に対応する扉１６と換気口１７ａを有する天板１７を夫々螺子１５，１５，…で取り付けてキュービクル式蓄電池盤を完成する。１７ｂは、把手を示す。
【００１３】
尚、また、本発明のキュービクル式蓄電池盤Ｄは、そのキュービクル式蓄電池組立体Ｃの左右側面及び背面に従来のような外装板を取り付けないので、製造コストを低減させると共に安価に且つ生産性を向上することができる。
この場合、上記のように、蓄電池収納筺Ａの筺体１の上下板１ｂ，１ｂの各板の前後に、長尺の断面コ字状の骨枠３ａ，４ａを具備したものを用いるときは、該組立体Ｃの各互いに積み重なるユニット電池Ａ′，Ａ′の夫々筺体１，１の間に積み重なる骨枠３ａ，４ａに対応する分、その中間に形成される間隙１８は、外気と連通するので好ましい。
【００１４】
【発明の効果】
このように本発明による蓄電池収納筺は、前面に開口部を形成され、且つ左右の側板の四隅に連結用突出板部を配設した直方体の筺体を主体とし、該筺体の左右の両側板を前方に延長する延長板部を設けると共に、夫々の延長部の三辺を外方へ直角に折り曲げた折り曲げ板部を形成して成る前方延長板部を該開口部の左右に配設したので、該筺体内に所定個数の蓄電池を収納してユニット電池とした後、該ユニット電池を複数段に積み重ねると共に互いに重なり合う連結板部で互いに連結固定してキュービクル式蓄電池筺組立体を組み立てるときは、夫々のユニット電池の筺体に具備した機械的強度の大きい左右の前方延長板部により大きな負荷重に堪える安定堅牢な組立体が構成できるばかりでなく、該組立体の夫々のユニット電池の筺体の左右の前方延長板部の前辺折り曲げ板部に扉を取り付けることができるので、直ちに且つ容易にキュービクル式蓄電池盤を製造することができ、従来のキュービクル式蓄電池盤の製造に用した構成部材外装材や扉取り付け用枠を使用することを廃し、構成を簡易化し、且つ安価な製品をもたらす。
【図面の簡単な説明】
【図１】  本発明の実施の１例の電池収納筺の正面図。
【図２】  同電池収納筺の上面図。
【図３】  同電池収納筺の右側面図。
【図４】  同電池収納筺の斜視図。
【図５】  同電池収納筺に蓄電池を収納した状態のユニット電池の正面図。
【図６】  同ユニット電池の上面図。
【図７】  同ユニット電池の右側面図。
【図８】  同ユニット電池の積み重ね、その上面に端末端子保護枠体を取り付けて成るキュービクル式蓄電池筺組立体の正面図。
【図９】  同キュービクル式蓄電池筺組立体の上面図。
【図１０】  同キュービクル式蓄電池筺組立体の右側面図。
【図１１】  同キュービクル式蓄電池筺組立体をチャンネルベース上に載置し、且つ扉と天板を取り付けて成るキュービクル式蓄電池盤の正面図。
【図１２】  同キュービクル式蓄電池盤の上面図。
【図１３】  同キュービクル式蓄電池盤の右側面図。
【符号の説明】
Ａ  蓄電池収納筺
Ａ′  ユニット電池
Ｃ  キュービクル式蓄電池筺組立体
Ｄ  キュービクル式蓄電池盤
１  筺体
１ａ  左右の側板
１ｂ  上下板
１ｃ  背面板
１ｄ  開口部
２  連結用突出板部
７  左右の前方延長板部
７ａ  左右の延長板部
７ｂ  折り曲げ板部，前辺折り曲げ板部
７ｃ  折り曲げ板部，上辺折り曲げ板部
７ｄ  折り曲げ板部，下辺折り曲げ板部
【図１】
0003667724.tif 000002
【図２】
0003667724.tif 000003
【図３】
0003667724.tif 000004
【図４】
0003667724.tif 000005
【図５】
0003667724.tif 000006
【図６】
0003667724.tif 000007
【図７】
0003667724.tif 000008
【図８】
0003667724.tif 000009
【図９】
0003667724.tif 000010
【図１０】
0003667724.tif 000011
【図１１】
0003667724.tif 000012
【図１２】
0003667724.tif 000013
【図１３】
0003667724.tif 000014